(57)【要約】【課題】  設定項目のグルーピングを複数用意し、ユーザに、どのグルーピングを使いたいかを選択させ、現在使用している類似端末の操作や、過去の操作記憶に近い操作を提供して新しい情報端末の操作性を向上。【解決手段】  ２次元ディスプレイを備える操作入力装置において、基本的な設定と詳細な設定を別グループとした構成のメニュー画面，機能単位のグループ構成のメニュー画面，各メニュー画面を選択指定する手段、および、選択指定があったメニュー画面をディスプレイに表示する手段を備えた。ユーザ情報入力手段、および、入力されたユーザ情報に対応付けられたメニュー画面をディスプレイに表示する手段を備えた。特定の情報が設定される前は、機能単位のグループ構成のメニュー画面を表示し、特定の情報が設定されているときは、基本的な設定と詳細な設定を別グループとした構成のメニュー画面を表示する。  【選択図】  図９
2006260336.tif 000002
【特許請求の範囲】
【請求項１】
２次元ディスプレイを備える操作入力装置において、
基本的な設定と詳細な設定を別グループとした構成のメニュー画面，機能単位のグループ構成のメニュー画面，各メニュー画面を選択指定する手段、および、選択指定があったメニュー画面を前記２次元ディスプレイに表示する手段を備えたことを特徴とする操作入力装置。
【請求項２】
２次元ディスプレイを備える操作入力装置において、
基本的な設定と詳細な設定を別グループとした構成のメニュー画面，機能単位のグループ構成のメニュー画面，ユーザ情報入力手段、および、入力されたユーザ情報に対応付けられたメニュー画面を前記２次元ディスプレイに表示する手段を備えたことを特徴とする操作入力装置。
【請求項３】
２次元ディスプレイを備える操作入力装置において、
基本的な設定と詳細な設定を別グループとした構成のメニュー画面，機能単位のグループ構成のメニュー画面，特定の情報を設定する手段、および、特定の情報が設定される前は、機能単位のグループ構成のメニュー画面を前記２次元ディスプレイに表示し、特定の情報が設定されているときは、基本的な設定と詳細な設定を別グループとした構成のメニュー画面を前記２次元ディスプレイに表示する手段を備えたことを特徴とする操作入力装置。
【請求項４】
原稿の画像を読み取り該画像を表す画像データを発生する原稿読み取り手段；
前記画像データを送信する通信手段；および、
原稿を読み取ってその画像データを送信する画像処理を指示する、請求項１乃至３のいずれか１つに記載の操作入力装置；を備える画像処理装置。
【請求項５】
原稿の画像を読み取り該画像を表す画像データを発生する原稿読み取り手段；
画像データが表す画像を用紙上に形成するプリンタ；
前記原稿読み取り手段が発生した画像データを前記プリンタの画像形成に適合する画像データに変換して前記プリンタに与える画像データ処理手段；および、
原稿を読み取ってプリンタで複製する複写処理を指示する、請求項１乃至３のいずれか１つに記載の操作入力装置；を備える複写装置。
【請求項６】
前記原稿読み取り手段が発生する画像データを送信する通信手段；を更に備え、前記操作入力装置は、原稿を読み取ってその画像データを送信する画像処理を指示する；請求項５に記載の複写装置。
【発明の詳細な説明】
【技術分野】
【０００１】
本発明はユーザが入力操作する操作入力装置に関し、特に、２次元ディスプレイに入力項目又はメニューを表示する操作入力装置に関する。本発明は例えば、パーソナルコンピュータ，複写機，ファクシミリ装置および複合機能があるプリンタに使用することができる。
【背景技術】
【０００２】
【特許文献１】特開２００４−１１０５９２号公報。
【０００３】
特許文献１には、ＨＤＤに、表示パネル３０１における同一の操作機能を実現する複数の異なる操作画面プログラムを保持し、表示パネル上に所望の操作画面を選択可能に表示し、表示パネル上で選択された操作画面プログラムを実行して表示パネル上に当該操作画面を表示する画像出力システムが記載されている。
【０００４】
新しい情報端末を(初めて)操作するユーザは、現在使用している類似端末の操作や、過去の操作記憶から類推して、その操作を行う。一方、昨今、情報端末機器は多機能化、複合化しており、設定可能な項目が多数になり、一般に、設定項目を幾つかのグループに分類している。
【発明の開示】
【発明が解決しようとする課題】
【０００５】
入力項目の分類は、様々な操作履歴を持つユーザにとって、一様に最適なものとは限らない。そのため、ユーザによっては必ずしもスムーズに操作できない。
【０００６】
本発明においては、設定項目のグルーピングを複数、用意し、ユーザに、どのグルーピングを使いたいかを選択させ、現在使用している類似端末の操作や、過去の操作記憶に近い操作を提供することで、新しい情報端末の操作性を向上させる。
【課題を解決するための手段】
【０００７】
（１）２次元ディスプレイを備える操作入力装置において、
基本的な設定と詳細な設定を別グループとした構成のメニュー画面，機能単位のグループ構成のメニュー画面，各メニュー画面を選択指定する手段、および、選択指定があったメニュー画面を前記２次元ディスプレイに表示する手段を備えたことを特徴とする操作入力装置。
【発明の効果】
【０００８】
類似端末の操作や、ユーザの過去の操作記憶に近い操作を提供でき、所望の設定項目を見つけやすくなり、操作性を向上させることができる。
【発明を実施するための最良の形態】
【０００９】
（２）２次元ディスプレイを備える操作入力装置において、
基本的な設定と詳細な設定を別グループとした構成のメニュー画面，機能単位のグループ構成のメニュー画面，ユーザ情報入力手段、および、入力されたユーザ情報に対応付けられたメニュー画面を前記２次元ディスプレイに表示する手段を備えたことを特徴とする操作入力装置。
【００１０】
例えば、一般ユーザのユーザコードは、基本/詳細グループに割当てることで、一般ユーザは、敢えて詳細グループの設定メニューを見る必要がなくなり、操作を簡素化できる。
【００１１】
（３）２次元ディスプレイを備える操作入力装置において、
基本的な設定と詳細な設定を別グループとした構成のメニュー画面，機能単位のグループ構成のメニュー画面，特定の情報を設定する手段、および、特定の情報が設定される前は、機能単位のグループ構成のメニュー画面を前記２次元ディスプレイに表示し、特定の情報が設定されているときは、基本的な設定と詳細な設定を別グループとした構成のメニュー画面を前記２次元ディスプレイに表示する手段を備えたことを特徴とする操作入力装置。
【００１２】
例えば、最初は機能単位グループにて基本設定および詳細設定をさせた後、基本/詳細グループに切り替えることができ、敢えて詳細グループの設定メニューを見る必要がなくなり、操作を簡素化できる。
【００１３】
（４原稿の画像を読み取り該画像を表す画像データを発生する原稿読み取り手段；
前記画像データを送信する通信手段；および、
原稿を読み取ってその画像データを送信する画像処理を指示する、上記（１）乃至（３）のいずれか１つに記載の操作入力装置；を備える画像処理装置。
【００１４】
（５）原稿の画像を読み取り該画像を表す画像データを発生する原稿読み取り手段；
画像データが表す画像を用紙上に形成するプリンタ；
前記原稿読み取り手段が発生した画像データを前記プリンタの画像形成に適合する画像データに変換して前記プリンタに与える画像データ処理手段；および、
原稿を読み取ってプリンタで複製する複写処理を指示する、上記（１）乃至（３）のいずれか１つに記載の操作入力装置；を備える複写装置。
【００１５】
（６）前記原稿読み取り手段が発生する画像データを送信する通信手段；を更に備え、前記操作入力装置は、原稿を読み取ってその画像データを送信する画像処理を指示する；上記（５）に記載の複写装置。
【００１６】
本発明の他の目的および特徴は、図面を参照した以下の実施例の説明より明らかになろう。
【実施例１】
【００１７】
図１に、本発明の第１実施例のフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラ（ＣＰＵ３０１：図２）と直接または間接に通信を行いタイミング制御されて原稿画像の読取りを行う。
【００１８】
スキャナ１００およびプリンタ２００ならびに画像入出力装置（３０２：図２）を含むエンジン（３００：図２）を接続したコントローラボード（４００：図２）には、パソコンＰＣが接続したＬＡＮ(Local Area Network)が接続されており、ファクシミリコントロールユニット（ＦＣＵ  ４１７：図２）には、電話回線ＰＮ（ファクシミリ通信回線）に接続された交換器ＰＢＸが接続されている。
【００１９】
この実施例では、原稿画像読取りは、フラットベッド方式とシートスルー方式で行うことができる。すなわち、ユーザはＡＤＦ１２０を起こしてスキャナ１００のコンタクトガラス上に原稿を載せ、ＡＤＦ１２０を倒してＡＤＦ１２０下面の圧板で原稿を押さえて、フラットベッド方式の原稿走査（フラットベッド読取り）を行い、フラットベッド読取りが終わるとユーザがＡＤＦ１２０を起こして原稿を取り出すことができる。また、ユーザは、ＡＤＦ１２０の原稿トレイ上に一枚又は数枚の原稿を装着して、シートスルー読取りを行うことができる。
【００２０】
図２に、図１の複合機能複写機ＭＦ１の画像処理システムの構成を示す。複合機能複写機ＭＦ１は、原稿画像読取りおよびカラー印刷を行うエンジン３００，コントローラボード４００および操作ボード１０を含む。エンジン３００は、画像読取りおよび印刷のプロセスを制御するＣＰＵ３０１，上述のカラースキャナ１００，上述のプリンタ２００、および、ＡＳＩＣ(Application Specific IC)で構成した画像入出力処理３０２を備えている。
【００２１】
スキャナ１００の読取りユニット１１０にはＣＰＵ，ＲＯＭおよびＲＡＭがあり、該ＣＰＵが該ＲＯＭに格納されたプログラムを該ＲＡＭに書き込んで実行する事で、スキャナ１００の全体の制御を行っている。また、プロセス制御用のＣＰＵ３０１と通信線を介して接続されおり、コマンド及びデータの送受信により指令された動作を行う。読取りユニット１１０内のＣＰＵは、フィラーセンサ（原稿検知センサ），基点センサ，圧板スイッチ，冷却ファン等の検知及びＯＮ／ＯＦＦの制御をする。読取りユニット１１０内において、スキャナモータドライバが、ＣＰＵからのＰＷＭ出力によりドライブされ励磁パルスシーケンスを発生し原稿走査駆動用のパルスモータを駆動する。
【００２２】
原稿画像は、ランプレギュレータによって通電されるハロゲンランプ１０２（図２）の光量出力により照明されて、原稿の反射光すなわち光信号は、複数ミラー１０３〜１０５及びレンズ１０６を通りＲ，ＧおよびＢ読取り用の３個のラインセンサを含むＣＣＤ１０７に結像される。３ラインＣＣＤ１０７は、各ＲＧＢの各画素のアナログの画像信号をＡＦＥ１１１に出力する。ＡＦＥ１１１は、画像信号を増幅し画像データにデジタル変換しそしてシェーディング補正する画像信号処理手段である。
【００２３】
コントローラボード４００は、ＣＰＵ４０２と、ＡＳＩＣで構成された書画蓄積制御４０３と、ハードディスク装置（以下ではＨＤＤと表記）４０１と、ローカルメモリ（ＭＥＭ−Ｃ）４０６と、システムメモリ（ＭＥＭ−Ｐ）４０９と、ノースブリッジ（以下、ＮＢと記す）４０８と、サウスブリッジ（以下、ＳＢと記す）４１５と、ＮＩＣ４１０(Network Interface Card)と、ＵＳＢデバイス４１１と、ＩＥＥＥ１３９４デバイス４１２と、セントロニクスデバイス４１３他を含む。操作ボード１０は、コントローラボード４００の書画蓄積制御４０３に接続されている。ファクシミリコントロールユニット（ＦＣＵ）４１７も、書画蓄積制御４０３にＰＣＩバスで接続されている。
【００２４】
ＣＰＵ４０２は、ＮＩＣ４１０を介してＬＡＮに接続されたパソコンＰＣあるいはインターネットを介する他のパソコンＰＣと書画情報の送受信を行うことができる。また、ＵＳＢ４１１，ＩＥＥＥ１３９４  ４１２，セントロニクス４１３を用いてパソコン，プリンタ，デジタルカメラ等と通信することができる。
【００２５】
ＳＢ４１５と、ＮＩＣ４１０と、ＵＳＢデバイス４１１と、ＩＥＥＥ１３９４デバイス４１２と、セントロニクスデバイス４１３と、ＭＬＢ４１４は、ＮＢ４０８にＰＣＩバスで接続されている。このように、ＭＬＢ４１４は、エンジン３００にＰＣＩバスを介して接続する基板である。そして、ＭＬＢ４１４は、外部から入力された書画データをイメージデータ（画像データ）に変換し、変換された画像データをエンジン３００に出力する。
【００２６】
コントローラボード４００の書画蓄積制御４０３にローカルメモリ４０６、ＨＤＤ４０１などが接続されると共に、ＣＰＵ４０２と書画蓄積制御４０３とがＣＰＵチップセットのＮＢ４０８を介して接続されている。書画蓄積制御４０３とＮＢ４０８とは、ＡＧＰ(Accelerated Graphics Port)を介して接続されている。
【００２７】
ＣＰＵ４０２は、複合機能複写機ＭＦ１の全体制御を行うものである。ＮＢ４０８は、ＣＰＵ４０２、システムメモリ４０９、ＳＢ４１５および書画蓄積制御４０３を接続するためのブリッジである。システムメモリ４０９は、複合機能複写機ＭＦ１の描画用メモリなどとして用いるメモリである。ＳＢ４１５は、ＮＢ４０８とＰＣＩバス、周辺デバイスとを接続するためのブリッジであり、ＳＢ４１５には外付けＲＯＭおよびＳＤメモリカード（以下ではＳＤカード）の読み書きをするカードＩＦ４１８が接続されている。このカードＩＦ４１８には、ＳＤカード読み書き装置（カードリーダ）が接続されており、カードリーダに装着されるＳＤカードのデータを読み取ることができ、またＳＤカードにデータを書込むことができる。
【００２８】
ローカルメモリ４０６はコピー用画像バッファ、符号バッファとして用いるメモリである。ＨＤＤ４０１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１０は、ユーザからの入力操作を受け付けると共に、ユーザに向けた表示を行う操作部である。
【００２９】
図２には、スキャナ１００およびプリンタ２００と画像入出力処理３０２との間でやり取りする画像データの流れを示す。画像入出力処理３０２には、カラー原稿スキャナ１００が原稿画像を読み取って発生するＲ，Ｇ，Ｂ画像データのそれぞれに対して読取りγ補正，ＭＴＦ補正等を行うスキャナ画像処理３０３があり、また、Ｒ，Ｇ，Ｂ画像データをプリンタ２００の、Ｃ，Ｍ，Ｙ，Ｋ各色書込みの画像表現特性に合ったｃ，ｍ，ｙ，ｋ記録色データ（印刷データ）に変換するプリンタ画像処理３０４があり、更に、書画蓄積制御４０３に原稿読取り画像データＲＧＢを出力し、書画蓄積制御４０３が出力する画像データＲＧＢをプリンタ画像処理３０４に与える画像処理Ｉ／Ｆ(Interface circuit)３０５がある。
【００３０】
白黒コピーのときには、スキャナ画像処理３０３からＧ画象データが画像処理Ｉ／Ｆ３０５に出力され、画像処理Ｉ／Ｆ３０５がＧ画像データをプリンタ画像処理３０４に出力し、プリンタ画像処理３０４がＧ画像データをｋ記録色データに変換し、必要に応じて変倍，画像加工を、そしてプリンタγ変換および階調処理をして、プリンタ２００のＣ書込みユニット２１２に出力する。書込みユニット２１２は、画像処理３０４が出力するｋ記録色データによって、光学走査ユニット２０３（図３）のレーザ発光ダイオードに通電する電流を変調又はオン，オフする。
【００３１】
カラーコピーのときは、スキャナ画像処理３０３が出力するＲＧＢ画像データが、画像処理Ｉ／Ｆ３０５および画像蓄積制御４０３を介して、ローカルメモリ４０６又はＨＤＤ４０１に一時蓄積又はＨＤＤ４０１に登録され、そして読み出されて、コピーまたは印刷に用いられ、あるいは外部に送出される。
【００３２】
プリンタ２００による登録画像データ、又は、外部から受信した画像データの印刷のときには、画像蓄積制御４０３および画像処理Ｉ／Ｆ３０５を介して画像データがプリンタ画像処理３０４に与えられる。プリンタ画像処理３０４は、画像データをｃｍｙｋ記録色データに変換してから、必要に応じて変倍，画像加工を、そしてプリンタγ変換および階調処理をして、書込みユニット２１２に出力する。
【００３３】
図３に示す様に、操作ボード１０には、液晶タッチパネル１１のほかに、テンキー１５，クリア／ストップキー１６，スタートキー１７，初期設定キー１８，モード切換えキー１９，テスト印刷キー２０，電源キー２１がある。また、図示は省略したが、液晶タッチパネル１１の左側には、ＵＲＬ，メール文，ファイル名，フォルダ名等の入力，設定用ならびに短縮登録用の、平仮名を付記したアルファベットキーボードがある。
【００３４】
電源キー２１は、省エネモード（休止モード又は低電力モード）から画像印刷が可能なスタンバイモードに、またその逆への切換えを指示するための操作キーである。省エネモードが設定されている時に電源キー２１が一回押されると、省エネモードからスタンバイモードに切換る。スタンバイモードであるときに電源キー２１が一回押されると、スタンバイモードから休止モードに切換る。テスト印刷キー２０は、設定されている印刷部数に関わらず１部だけを印刷し、印刷結果を確認するためのキーである。
【００３５】
初期設定キー１８を押す事で、機械の初期状態を任意にカスタマイズする事が可能である。省エネモードへの移行時間を設定したり、機械が収納している用紙サイズを設定したり、コピー機能のリセットキーを押したときに設定される状態を任意に設定可能である。初期設定キ−１８が操作されると、各種初期値を設定するための「初期値設定」機能ならびに「ＩＤ設定」機能，「著作権登録／設定」機能および「使用実績の出力」機能等を指定するための選択ボタンが表示される。
【００３６】
液晶タッチパネル１１には、各種機能キーならびにエンジン３００およびコントローラボード４００の動作状態を示すメッセージなどが表示される。液晶タッチパネル１１には、「コピー」機能，「スキャナ」機能，「プリント」機能，「ファクシミリ」機能，「蓄積」機能，「編集」機能，「登録」機能およびその他の機能の選択用および実行中を表わす機能選択キー１４が表示される。機能選択キー１４で指定された機能に定まった入出力画面が表示され、例えば「複写」機能が指定されているときには、図３に示すように、機能キーならびに部数及び画像形成装置の状態を示すメッセージ１２，１３が表示される。機能キー１２の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。また、機能の詳細を指定しなければならない場合（例えばページ印字の種類等）はキーにタッチする事で詳細機能の設定画面がポップアップ表示される。このように、液晶タッチパネル１１は、ドット表示器を使用している為、その時の最適な表示をグラフィカルに行う事が可能である。
【００３７】
図４には、操作ボード１０の回路ブロックを示す。操作ボード１０の電気制御系の主体は、コントローラボード４００のＣＰＵ４０２とコミュニケーションし、操作ボード１０の入力を読取り、操作ボード１０上の表示を制御するＣＰＵ  １，このＣＰＵ  １の制御プログラムが格納されているＲＯＭ  ２，制御時にデータの一時格納等を行うためのＲＡＭ  ３，液晶タッチパネル１１の描画データを格納するＶＲＡＭ  ７，このＶＲＡＭ  ７に接続され液晶タッチパネル１１の描画タイミング制御およびタッチ入力検知等を行う液晶表示コントローラ（ＬＣＤＣ）６，時刻データを発生する時計ＩＣ  ５等がある。ＬＣＤＣ  ６には、ＣＦＬの光源をバックライト９として有する液晶タッチパネル１１が接続される。ＣＰＵ  １には更に、ＣＦＬバックライト９を駆動するインバータ８，操作キー群１５〜２１のキーマトリクス，表示ＬＥＤのＬＥＤマトリクスおよびそれらのＬＥＤを駆動するＬＥＤドライバ等が接続されている。また、ＣＰＵ  １が接続されたデータバスには、画像処理モード記憶用の不揮発ＲＡＭ（ＮＶＲＡＭ）４が接続されている。
【００３８】
操作ボード１０のＣＰＵ  １は、操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。ＲＯＭ２には、ＣＰＵ１の動作プログラムが格納されている。
【００３９】
図５には、「ファクシミリ」キーにタッチがあったときに液晶タッチパネル１１に表示される基本画面を示す。ここで、簡単な例を用いて、本発明の実施例を説明する。「ファクシミリ」の初期設定に以下の設定項目が含まれていると仮定する。以下は、機能単位のグループ構成としている。
初期設定
・ブザー設定
・キー操作音：鳴らす/鳴らさない・・(基本的な設定)
・キー操作音量：１〜８[段階]・・(詳細な設定)
・タイマー設定
・オペレーションタイムアウト：する/しない・・(基本的な設定)
・オペレーションタイムアウト時間：３０〜３００[秒]・・(詳細な設定)
・・・
上記に対して、以下は、基本的な設定と詳細な設定を別グループとした構成である。
初期設定
・基本的な設定
・ブザー設定
・キー操作音：鳴らす/鳴らさない・・(基本的な設定)
・タイマー設定
・オペレーションタイムアウト：する/しない・・(基本的な設定)
・・・
・詳細な設定
・ブザー設定
・キー操作音量：１〜８[段階]・・(詳細な設定)
・タイマー設定
・オペレーションタイムアウト時間：３０〜３００[秒]・・(詳細な設定)
・・・
図６に、基本画面からの、ユーザ操作に応答するメニュー表示の切換りを示し、図７には、ユーザが、機能単位グループ−基本/詳細グループ選択、をした場合のメニュー表示の切換りを示す。各画面には、ユニークに番号(画面番号)が付与され、画面を一意に特定できる。また、各「キー」にも、ユニークにコード(キーコード)が付与され、押下されたキーを一意に特定できる。
【００４０】
機能単位グループのメニュー画面制御、基本/詳細グループのメニュー画面制御の切替えを簡易な構成で実現するために、図９の（ｃ）に示す「画面番号−分類情報−表示文字列」表をＮＶＲＡＭ４（図４）に持ち、図６の（ｃ）（又は図７の（ｃ），（ｄ））を、図９の（ｃ）の「画面番号-分類情報-表示文字列」表から生成する。
図８の（ａ）に示す機能単位グループ-基本/詳細グループ選択の結果を、図９の（ｄ）に示す「機能単位グループ-基本/詳細グループ」情報に記憶し、その後、図１０に示す並べ替えを実行し、図９の（ｃ）に示す「画面番号-分類情報-表示文字列」表を並べ替える。
初期設定画面に入る操作がされると、図９の（ｄ）に示す「機能単位グループ-基本/詳細グループ」情報を判断して、図１１に示す画面の生成を実行して、機能単位グループのメニュー画面を生成し、図１２に示す画面の生成を実行して、基本/詳細グループのメニュー画面を生成する。
【実施例２】
【００４１】
図６に、基本画面からの、ユーザ操作に応答するメニュー表示の切換りを示し、図７には、ユーザが、機能単位グループ−基本/詳細グループ選択、をした場合のメニュー表示の切換りを示す。各画面には、ユニークに番号(画面番号)が付与され、画面を一意に特定できる。また、各「キー」にも、ユニークにコード(キーコード)が付与され、押下されたキーを一意に特定できる。機能単位グループのメニュー画面制御、基本/詳細グループのメニュー画面制御の切替えを容易に実現するために、図９の（ｃ）に示す「画面番号-分類情報-表示文字列」表を、ＮＶＲＡＭ４（図４）に持ち、図６の（ｃ）（又は図７の（ｃ），（ｄ））を、図９の（ｃ）の「画面番号-分類情報-表示文字列」表から生成する。図１３に示す情報の書換えを実行し、ユーザコード入力の結果から、図９の（ｄ）の「機能単位グループ-基本/詳細グループ」情報を書換え、その後、図１０に示す並べ替えを実行し、図９の（ｃ）に示す「画面番号-分類情報-表示文字列」表を並べ替える。初期設定画面に入る操作がされると、図９の（ｄ）に示す「機能単位グループ-基本/詳細グループ」情報を判断して、図１１に示す図面の生成を実行し、機能単位グループのメニュー画面を生成し、図１２に示す図面の生成を実行し、基本/詳細グループのメニュー画面を生成する。
【実施例３】
【００４２】
図６に、基本画面からの、ユーザ操作に応答するメニュー表示の切換りを示し、図９には、ユーザコード登録を示す。各画面には、ユニークに番号(画面番号)が付与され、画面を一意に特定できる。また、各「キー」にも、ユニークにコード(キーコード)が付与され、押下されたキーを一意に特定できる。機能単位グループのメニュー画面制御、基本/詳細グループのメニュー画面制御の切替えを容易に実現するために、図９の（ｃ）に示す「画面番号-分類情報-表示文字列」表を、ＮＶＲＡＭ４（図４）に持ち、図６の（ａ）で示した図６の（ｃ）（又は図７の（ｃ），（ｄ））を、図９の（ｃ）に示す「画面番号-分類情報-表示文字列」表から生成する。図９の（ａ）に示すユーザコード登録の有無から、図９の（ｄ）に示す「機能単位グループ-基本/詳細グループ」情報を書換え、その後、図１０に示す並べ替えを実行し、図９の（ｃ）に示す「画面番号-分類情報-表示文字列」表を並べ替える。初期設定画面に入る操作がされると、図９の（ｄ）「機能単位グループ-基本/詳細グループ」情報を判断して、図１１に示す画面の生成を実行し、機能単位グループのメニュー画面を生成し、図１２に示す画面の生成を実行し、基本/詳細グループのメニュー画面を生成する。
【図面の簡単な説明】
【００４３】
【図１】本発明の第１実施例の複合機能複写機ＭＦ１の機構概要を示す縦断面図である。
【図２】図１に示す複写機ＭＦ１内の、画像処理システムの構成を示すブロック図である。
【図３】図１に示す複写機ＭＦ１の操作ボード１０上面の一部を示す拡大平面図である。
【図４】図３に示す操作ボード１０の表示制御システムの概要を示すブロック図である。
【図５】図３に示す操作ボード１０の、「ファクシミリ」指定に対応して液晶タッチパネル１１に表示されるメニュー画面を示す平面図である。
【図６】「ファクシミリ」の一態様の初期設定の過程で液晶タッチパネル１１に表示されるメニュー画面を示す平面図である。
【図７】「ファクシミリ」のもう１つの態様の初期設定の過程で液晶タッチパネル１１に表示されるメニュー画面を示す平面図である。
【図８】「ファクシミリ」の初期設定の過程のユーザコード入力がある場合に、液晶タッチパネル１１に表示される入力画面を示す平面図である。
【図９】「ファクシミリ」の初期設定の過程で液晶タッチパネル１１に表示される入力画面および図４に示すＮＶＲＡＭ４に登録されている表を示す平面図である。
【図１０】図４に示すＣＰＵ１が実行する並べ変え処理の概要を示すフローチャートである。
【図１１】図４に示すＣＰＵ１が実行する一態様のメニュー画面生成処理の概要を示すフローチャートである。
【図１２】図４に示すＣＰＵ１が実行するもう１つの態様のメニュー画面生成処理の概要を示すフローチャートである。
【図１３】図４に示すＣＰＵ１が実行する、ユーザコード宛てのメニュー画面書換え処理の概要を示すフローチャートである。
【符号の説明】
【００４４】
ＰＣ：パソコン
【図１】
2006260336.tif 000003
【図２】
2006260336.tif 000004
【図３】
2006260336.tif 000005
【図４】
2006260336.tif 000006
【図５】
2006260336.tif 000007
【図６】
2006260336.tif 000008
【図７】
2006260336.tif 000009
【図８】
2006260336.tif 000010
【図９】
2006260336.tif 000011
【図１０】
2006260336.tif 000012
【図１１】
2006260336.tif 000013
【図１２】
2006260336.tif 000014
【図１３】
2006260336.tif 000015